(57)【要約】【課題】本発明は、情報表示装置に接続された複数の記録装置のいずれに所望のコンテンツが記録されているか意識することなく、複数の記録装置にそれぞれ記録されているコンテンツの中から所望のコンテンツを簡単に検索することができる情報表示システムおよび情報表示方法を提供することを課題とする。【解決手段】接続装置管理部２１は、複数の記録装置Ａ、Ｂからそれぞれ送信されるコンテンツ情報を、コンテンツ情報を送信した記録装置Ａ、Ｂを特定する情報と共に統合させた統合コンテンツ情報を作成し、統合コンテンツ情報を統合コンテンツ情報記録部２２に記録しておき、統合コンテンツ情報記録部２２に記録されている統合コンテンツ情報に基づいて、複数の記録装置Ａ、Ｂによって記録もしくは再生されたコンテンツの一覧を表示するように構成する。【選択図】        図１
2008167275.tif 000002
【特許請求の範囲】
【請求項１】
ストレージ媒体にコンテンツを記録再生する記録装置が情報表示装置に複数台接続されてなる情報表示システムであって、
前記記録装置は、前記ストレージ媒体に記録もしくは再生した前記コンテンツの属性情報をコンテンツ情報として記録するコンテンツ情報記録手段と、
該コンテンツ情報記録手段に記録されている前記コンテンツ情報を前記情報表示装置に送信するコンテンツ情報送信手段とを具備し、
前記情報表示装置は、複数の前記記録装置からそれぞれ送信される前記コンテンツ情報を、前記コンテンツ情報を送信した前記記録装置を特定する情報と共に統合させた統合コンテンツ情報を作成する統合コンテンツ情報作成手段と、
該統合コンテンツ情報作成手段によって作成された前記統合コンテンツ情報に基づいて、複数の前記記録装置によって記録もしくは再生された前記コンテンツの一覧を表示する表示手段とを具備することを特徴とする情報表示システム。
【請求項２】
前記情報表示装置は、前記統合コンテンツ情報作成手段によって作成された前記統合コンテンツ情報を記録する前記統合コンテンツ記録手段を具備し、
前記表示手段は、前記統合コンテンツ記録手段に記録されている前記統合コンテンツ情報に基づいて、複数の前記記録装置によって記録もしくは再生された前記コンテンツの一覧を表示することを特徴とする請求項１記載の情報表示システム。
【請求項３】
前記情報表示装置は、前記記録装置の電源投入状況を確認する電源投入状況確認手段を具備し、
前記表示手段は、前記コンテンツの一覧の表示に際し、前記電源投入状況確認手段によって電源ＯＦＦ状態と判断された前記記録装置によって記録もしくは再生された前記コンテンツを他の前記コンテンツと区別して表示させることを特徴とする請求項１又は２記載の情報表示システム。
【請求項４】
前記記録装置の前記コンテンツ情報記録手段は、前記コンテンツが記録されている前記ストレージ媒体の媒体ＩＤを含む前記コンテンツ情報を記録し、
前記情報表示装置は、前記記録装置に装着されている前記ストレージ媒体を確認する媒体確認手段を具備し、
前記表示手段は、前記コンテンツの一覧の表示に際し、前記媒体確認手段によって前記記録装置に装着されていない前記ストレージ媒体によって記録もしくは再生された前記コンテンツを他の前記コンテンツと区別して表示させることを特徴とする請求項１乃至３のいずれかに記載の情報表示システム。
【請求項５】
ストレージ媒体にコンテンツを記録再生する記録装置が情報表示装置に複数台接続されてなる情報表示システムにおける情報表示方法であって、
前記記録装置は、前記ストレージ媒体に記録もしくは再生した前記コンテンツの属性情報をコンテンツ情報として記録して、記録した前記コンテンツ情報を前記情報表示装置に送信し、
前記情報表示装置は、複数の前記記録装置からそれぞれ送信される前記コンテンツ情報を、前記コンテンツ情報を送信した前記記録装置を特定する情報と共に統合させた統合コンテンツ情報を作成し、
作成した前記統合コンテンツ情報に基づいて、複数の前記記録装置によって記録もしくは再生された前記コンテンツの一覧を表示することを特徴とする情報表示方法。
【請求項６】
前記情報表示装置は、作成した前記統合コンテンツ情報を記録し、
記録した前記統合コンテンツ情報に基づいて、複数の前記記録装置によって記録もしくは再生された前記コンテンツの一覧を表示することを特徴とする請求項５記載の情報表示方法。
【請求項７】
前記情報表示装置は、前記記録装置の電源投入状況を確認し、
前記コンテンツの一覧の表示に際し、電源ＯＦＦ状態と判断した前記記録装置に記録されている前記コンテンツを他の前記コンテンツと区別して表示することを特徴とする請求項５又は６記載の情報表示方法。
【請求項８】
前記記録装置は、前記コンテンツが記録されている前記ストレージ媒体の媒体ＩＤを含む前記コンテンツ情報を記録し、
前記情報表示装置は、前記記録装置に装着されている前記ストレージ媒体を確認し、
前記コンテンツの一覧の表示に際し、前記記録装置に装着されていない前記ストレージ媒体に記録されている前記コンテンツを他の前記コンテンツと区別して表示することを特徴とする請求項５乃至７のいずれかに記載の情報表示方法。
【発明の詳細な説明】
【技術分野】
【０００１】
本発明は、テレビジョン装置等の情報表示装置にデジタルビデオやハードディスク等の複数の記録装置が接続されている情報表示システムおよび情報表示方法に関し、特に記録装置によって記録もしくは再生されたコンテンツの一覧を情報表示装置に表示させる情報表示システムおよび情報表示方法に関する。
【背景技術】
【０００２】
近年、映像・音声データ等のコンテンツをＨＤＤ、ＤＶＤ、ＨＤ−ＤＶＤ等のストレージ媒体に記録再生する記録装置において、ストレージ媒体の大容量化が進み、大量のコンテンツをストレージ媒体に記録することができるようになっている。そこで、ユーザ所望のコンテンツをストレージ媒体に記録された大量のコンテンツの中から素早く探し出せるユーザインターフェースが望まれており、記録したコンテンツのキーワードを整理して検索に使用したり（例えば、特許文献１参照）、コンテンツのジャンルに応じて色分けされたタブにより一覧表示したりすることで（例えば、特許文献２参照）、操作性の向上を図ることが提案されている。
【０００３】
しかしながら、従来技術では、テレビジョン装置等の情報表示装置に複数の記録装置が接続されており、複数の記録装置から所望のコンテンツを検索する場合には、ユーザが記録装置のいずれか選択し、その上で記録されているコンテンツのリストを確認して所望のコンテンツが選択した記録装置に記録されているかを判断する必要があり、どの記録装置に所望のコンテンツが記録されているかを把握していない場合には、複数の記録装置のそれぞれに記録されているコンテンツを確認しなければならず、コンテンツの検索作業が複雑なものになってしまうという問題点があった。
【特許文献１】特開２００１−３３９６８３号公報
【特許文献２】特開２００６−８０６２１号公報
【発明の開示】
【発明が解決しようとする課題】
【０００４】
本発明は斯かる問題点に鑑みてなされたものであり、その目的とするところは、情報表示装置に接続された複数の記録装置のいずれに所望のコンテンツが記録されているか意識することなく、複数の記録装置にそれぞれ記録されているコンテンツの中から所望のコンテンツを簡単に検索することができる情報表示システムおよび情報表示方法を提供する点にある。
【課題を解決するための手段】
【０００５】
本発明は上記課題を解決すべく、以下に掲げる構成とした。
本発明の情報表示システムは、ストレージ媒体にコンテンツを記録再生する記録装置が情報表示装置に複数台接続されてなる情報表示システムであって、前記記録装置は、前記ストレージ媒体に記録もしくは再生した前記コンテンツの属性情報をコンテンツ情報として記録するコンテンツ情報記録手段と、該コンテンツ情報記録手段に記録されている前記コンテンツ情報を前記情報表示装置に送信するコンテンツ情報送信手段とを具備し、前記情報表示装置は、複数の前記記録装置からそれぞれ送信される前記コンテンツ情報を、前記コンテンツ情報を送信した前記記録装置を特定する情報と共に統合させた統合コンテンツ情報を作成する統合コンテンツ情報作成手段と、該統合コンテンツ情報作成手段によって作成された前記統合コンテンツ情報に基づいて、複数の前記記録装置によって記録もしくは再生された前記コンテンツの一覧を表示する表示手段とを具備することを特徴とする。
【０００６】
さらに、本発明の情報表示システムにおいては、前記情報表示装置は、前記統合コンテンツ情報作成手段によって作成された前記統合コンテンツ情報を記録する前記統合コンテンツ記録手段を具備し、前記表示手段は、前記統合コンテンツ記録手段に記録されている前記統合コンテンツ情報に基づいて、複数の前記記録装置によって記録もしくは再生された前記コンテンツの一覧を表示することを特徴とする。
【０００７】
さらに、本発明の情報表示システムにおいては、前記情報表示装置は、前記記録装置の電源投入状況を確認する電源投入状況確認手段を具備し、前記表示手段は、前記コンテンツの一覧の表示に際し、前記電源投入状況確認手段によって電源ＯＦＦ状態と判断された前記記録装置によって記録もしくは再生された前記コンテンツを他の前記コンテンツと区別して表示させることを特徴とする。
【０００８】
さらに、本発明の情報表示システムにおいては、前記記録装置の前記コンテンツ情報記録手段は、前記コンテンツが記録されている前記ストレージ媒体の媒体ＩＤを含む前記コンテンツ情報を記録し、前記情報表示装置は、前記記録装置に装着されている前記ストレージ媒体を確認する媒体確認手段を具備し、前記表示手段は、前記コンテンツの一覧の表示に際し、前記媒体確認手段によって前記記録装置に装着されていない前記ストレージ媒体によって記録もしくは再生された前記コンテンツを他の前記コンテンツと区別して表示させることを特徴とする。
【０００９】
また、本発明の情報表示方法は、ストレージ媒体にコンテンツを記録再生する記録装置が情報表示装置に複数台接続されてなる情報表示システムにおける情報表示方法であって、前記記録装置は、前記ストレージ媒体に記録もしくは再生した前記コンテンツの属性情報をコンテンツ情報として記録して、記録した前記コンテンツ情報を前記情報表示装置に送信し、前記情報表示装置は、複数の前記記録装置からそれぞれ送信される前記コンテンツ情報を、前記コンテンツ情報を送信した前記記録装置を特定する情報と共に統合させた統合コンテンツ情報を作成し、作成した前記統合コンテンツ情報に基づいて、複数の前記記録装置によって記録もしくは再生された前記コンテンツの一覧を表示することを特徴とする。
【００１０】
さらに、本発明の情報表示方法においては、前記情報表示装置は、作成した前記統合コンテンツ情報を記録し、記録した前記統合コンテンツ情報に基づいて、複数の前記記録装置によって記録もしくは再生された前記コンテンツの一覧を表示することを特徴とする。
【００１１】
さらに、本発明の情報表示方法においては、前記情報表示装置は、前記記録装置の電源投入状況を確認し、前記コンテンツの一覧の表示に際し、電源ＯＦＦ状態と判断した前記記録装置に記録されている前記コンテンツを他の前記コンテンツと区別して表示することを特徴とする。
【００１２】
さらに、本発明の情報表示方法においては、前記コンテンツが記録されている前記ストレージ媒体の媒体ＩＤを含む前記コンテンツ情報を記録し、前記情報表示装置は、前記記録装置に装着されている前記ストレージ媒体を確認し、前記コンテンツの一覧の表示に際し、前記記録装置に装着されていない前記ストレージ媒体に記録されている前記コンテンツを他の前記コンテンツと区別して表示することを特徴とする。
【発明の効果】
【００１３】
本発明の情報表示システムおよび情報表示方法は、記録装置において、ストレージ媒体に記録もしくは再生したコンテンツの属性情報をコンテンツ情報として記録して、記録したコンテンツ情報を情報表示装置に送信するように構成すると共に、情報表示装置において、複数の記録装置からそれぞれ送信されるコンテンツ情報を、コンテンツ情報を送信した記録装置を特定する情報と共に統合させた統合コンテンツ情報を作成し、作成した統合コンテンツ情報に基づいて、複数の記録装置によって記録もしくは再生されたコンテンツの一覧を表示するように構成することにより、接続されている複数の記録装置によってそれぞれ記録もしくは再生されたコンテンツを１つのリストとして一覧表示することができるため、情報表示装置に接続された複数の記録装置のいずれに所望のコンテンツが記録されているか意識することなく、複数の記録装置にそれぞれ記録されているコンテンツの中から所望のコンテンツを簡単に検索することができるという効果を奏する。
【００１４】
さらに、本発明の情報表示システムおよび情報表示方法は、情報表示装置において、作成した統合コンテンツ情報を記録し、記録した統合コンテンツ情報に基づいて、複数の記録装置によって記録もしくは再生されたコンテンツの一覧を表示するように構成することにより、一覧表示が指示されると、素早く一覧表示を行うことができると共に、記録装置が電源ＯＦＦ状態であっても一覧表示を行うことができるという効果を奏する。
【００１５】
さらに、本発明の情報表示システムおよび情報表示方法は、情報表示装置において、記録装置の電源投入状況を確認し、コンテンツの一覧の表示に際し、電源ＯＦＦ状態と判断した記録装置によって記録もしくは再生されたコンテンツを他のコンテンツと区別して表示するように構成することにより、ユーザが、記録装置の電源を投入しなければ再生できないコンテンツを簡単に把握することができ、操作性を向上させることができるという効果を奏する。
【００１６】
さらに、本発明の情報表示システムおよび情報表示方法は、記録装置において、コンテンツが記録されているストレージ媒体の媒体ＩＤを含むコンテンツ情報を記録するように構成すると共に、情報表示装置において、記録装置に装着されているストレージ媒体を確認し、コンテンツの一覧の表示に際し、記録装置に装着されていないストレージ媒体に記録されているコンテンツを他のコンテンツと区別して表示するように構成することにより、
ユーザが、ストレージ媒体を交換しなければ再生できないコンテンツを簡単に把握することができ、操作性を向上させることができるという効果を奏する。
【発明を実施するための最良の形態】
【００１７】
以下、本発明の実施の形態を図面に基づいて詳細に説明する。
【００１８】
図１は、本発明に係る情報表示装置の実施の形態であるテレビジョン装置の構成を示すブロック図であり、図２は、図１に示すテレビジョン装置に接続された記録装置の構成を示すブロック図であり、図３は、図２に示す記録装置のコンテンツ情報記録部に記録されたコンテンツ情報例を示す図であり、図４は、図１に示すテレビジョン装置の統合コンテンツ情報記録部に記録された統合コンテンツ情報例を示す図である。
【００１９】
本実施の形態の情報表示装置は、テレビジョン装置１であり、図１を参照すると、アンテナ１１で受信された放送波信号を選択して中間周波信号を生成するチューナ１２と、中間周波信号を増幅すると共に検波することで映像信号Ｖと音声信号Ｓとを取り出して出力する中間周波処理部１３と、中間周波処理部１３から入力された映像信号Ｖおよび音声信号Ｓ、もしくは接続されている記録装置Ａ、Ｂから外部入力された映像信号および音声信号を選択するＡＶセレクタ１４と、ＡＶセレクタ１４で選択された音声信号Ｓを増幅してスピーカ１５から出力する音声アンプ１６と、ＡＶセレクタ１４で選択された映像信号Ｖを輝度信号Ｙと色信号Ｃとに分離するＹ／Ｃ分離部１７と、色信号Ｃから色差信号ＵＶを復調し、輝度信号Ｙと色差信号ＵＶとを出力するクロマデコーダ１８と、表示手段であるＬＣＤ（液晶ディスプレイ）１９と、輝度信号Ｙと色差信号ＵＶとをＲＧＢ信号に変換し、ＬＣＤ１９に表示させるＲＧＢプロセッサ２０と、接続されている記録装置Ａ、Ｂを管理する接続装置管理部２１と、記録装置Ａ、Ｂからそれぞれ収集したコンテンツ情報を統合した統合コンテンツ情報を記録する統合コンテンツ情報記録部２２と、統合コンテンツ情報記録部２２に記録されている統合コンテンツ情報に基づくリスト画面をＬＣＤ１９に表示させるＯＳＤ用キャラクタジェネレータ２３と、テレビジョン装置１の操作部として機能するリモコン装置３から出力された赤外線変調信号等に変換されたコマンド信号を受信する受信部２４と、テレビジョン装置１の各種動作を制御するシステムコントローラであるマイコン２５とを備えている。
【００２０】
リモコン装置３は、複数のキー群（テンキー、十字キー等）で構成された各種操作ボタン３１が設けられており、操作ボタン３１が操作されると、対応するコマンド信号が赤外線変調信号として出力される。
【００２１】
記録装置Ａ、Ｂは、ＨＤＤ、ＤＶＤ、ＨＤ−ＤＶＤ等のストレージ媒体５に、映像・音声データ等のコンテンツを記録再生する機能を有し、図２を参照すると、アンテナ４１で受信された放送波信号を選択して中間周波信号を生成するチューナ４２と、中間周波信号を増幅すると共に検波することで映像信号Ｖと音声信号Ｓとを取り出して出力する中間周波処理部４３と、ストレージ媒体５にコンテンツを記録すると共に、ストレージ媒体５に記録されているコンテンツを再生する記録再生制御部４５と、コンテンツ情報が記録されるコンテンツ情報記録部４６と、テレビジョン装置１と通信を行う通信制御部４７とを備えている。
【００２２】
記録装置Ａ、Ｂの記録再生制御部４５は、操作部４４を用いたユーザの操作に基づき、中間周波処理部４３から出力される映像信号Ｖおよび音声信号Ｓを所定のフォーマットにエンコードしてストレージ媒体５に記録すると共に、ストレージ媒体５に所定のフォーマットで記録されているコンテンツをデコードして映像信号Ｖおよび音声信号Ｓを出力する。また、記録再生制御部４５は、コンテンツを記録再生したストレージ媒体５を媒体ＩＤによって識別する機能を有し、ストレージ媒体５に媒体ＩＤが記録されていない場合には、固有の媒体ＩＤをストレージ媒体５に記録する。さらに、記録再生制御部４５は、ストレージ媒体５に記録したコンテンツの属性情報をコンテンツ情報としてコンテンツ情報記録部４６に記録すると共に、ストレージ媒体５から削除したコンテンツの属性情報をコンテンツ情報記録部４６に記録されているコンテンツ情報から削除する。なお、コンテンツの属性情報は、受信された放送波信号からに含まれる番組情報、操作部４４からの入力、予めストレージ媒体５に記録されている情報から取得することができる。
【００２３】
記録装置Ａ、Ｂのコンテンツ情報記録部４６に記録されるコンテンツ情報は、ストレージ媒体５に記録したコンテンツの属性情報であり、図３を参照すると、記録したストレージ媒体５の媒体ＩＤと、コンテンツ名と、コンテンツの種類を示す大ジャンルおよび小ジャンルとからなる。なお、図３（ａ）には、記録装置Ａのコンテンツ情報記録部４６に記録されるコンテンツ情報例が、図３（ｂ）には、記録装置Ｂのコンテンツ情報記録部４６に記録されるコンテンツ情報例がそれぞれ示されている。また、コンテンツ情報として、コンテンツを録画した際のチャンネル、録画日時、ソース（放送/外部入力）、再生時間および録画モードや、出演者等の各種属性情報を記録するようにしても良い。
【００２４】
記録装置Ａ、Ｂの通信制御部４７は、コンテンツ情報記録部４６によってストレージ媒体５にコンテンツの記録やストレージ媒体５に記録されているコンテンツの削除が行われ、コンテンツ情報記録部４６に記録されているコンテンツ情報の追加や削除が行われると、追加内容および削除内容をテレビジョン装置１に送信する。なお、コンテンツ情報の追加内容および削除内容の送信時に、テレビジョン装置１の電源がＯＦＦ状態である場合には、コンテンツ情報の追加内容および削除内容とストレージ媒体５の媒体ＩＤとを記憶しておき、テレビジョン装置１の電源が投入された際に送信するようにすると良い。また、通信制御部４７は、装着されているストレージ媒体５の媒体ＩＤを管理しており、テレビジョン装置１からの問い合わせに対応して、装着されているストレージ媒体５の媒体ＩＤをテレビジョン装置１に送信する。テレビジョン装置１と記録装置Ａ、Ｂとの通信には、テレビジョン装置１と記録装置Ａ、ＢとがＨＤＭＩケーブルで接続されている場合には、映像、音声のデジタル伝送ラインとは別途に用意されている拡張用のＣＥＣ伝送ラインを用いることができる。
【００２５】
テレビジョン装置１の接続装置管理部２１は、記録装置Ａ、Ｂからコンテンツ情報の追加内容および削除内容を受信すると、記録装置Ａ、Ｂそれぞれから受信したコンテンツ情報を統合した統合コンテンツ情報を作成して統合コンテンツ情報記録部２２に記録させる。また、リモコン装置３によってリスト表示が指示されると、記録装置Ａ、Ｂのそれぞれの電源投入状況を確認する共に、記録装置Ａ、Ｂにそれぞれ装着されているストレージ媒体５の媒体ＩＤを確認する。
【００２６】
テレビジョン装置１の統合コンテンツ情報記録部２２に記録される統合コンテンツ情報は、図４に示すように、記録装置Ａのコンテンツ情報記録部４６に記録されているコンテンツ情報と、記録装置Ｂのコンテンツ情報記録部４６に記録されているコンテンツ情報とを統合させたものであり、コンテンツ情報記録部４６に記録されるコンテンツ情報の項目に加えて、コンテンツ情報を取得した記録装置が項目として設定されている。
【００２７】
次に、本実施の形態におけるリスト表示動作について図５乃至図８を参照して詳細に説明する。
図５は、図１に示すテレビジョン装置におけるリスト表示動作を説明するためのフローチャートであり、図６は、図１に示すＬＣＤに表示される一括リスト例を示す図であり、図７は、図１に示すＬＣＤに表示される装置別リスト例を示す図であり、図８は、図１に示すＬＣＤに表示されるジャンル別リスト例を示す図である。
【００２８】
図５を参照すると、ユーザによってリモコン装置３が操作され、受信部２４によってリスト表示を指示するコマンドが受信されると（ステップＡ１）、マイコン２５は、接続装置管理部２１に記録装置Ａ、Ｂの電源投入状況と装着されているストレージ媒体５の媒体ＩＤの確認を指示し、接続装置管理部２１は、記録装置Ａ、Ｂのそれぞれの電源投入状況を確認すると共に（ステップＡ２）、記録装置Ａ、Ｂに装着されているストレージ媒体５の媒体ＩＤの確認する（ステップＡ３）。
【００２９】
次に、マイコン２５は、リスト表示の表示モードが一括リスト表示であるか否かを判断すると共に（ステップＡ４）、リストの表示モードが装置部リスト表示であるか否かを判断する（ステップＡ５）。なお、本実施の形態では、リスト表示の表示モードは、一括リスト表示、装置別リスト表示もしくはジャンル別リスト表示の３モードのいずれかを選択できるようになっており、リスト表示の表示モードが一括リスト表示でなく、さらに装置部リスト表示でない場合には、リスト表示の表示モードがジャンル部リスト表示であると判断されることになる。また、リスト表示の表示モードは、一括リスト表示、装置部リスト表示もしくはジャンル部リスト表示のいずれかに予め設定しておくようにしても良く、ユーザが設定するようにしても良い。
【００３０】
リスト表示の表示モードが一括リスト表示である場合には、マイコン２５は、ＯＳＤ用キャラクタジェネレータ２３に一括リストの表示を指示し、ＯＳＤ用キャラクタジェネレータ２３は、統合コンテンツ情報記録部２２に記録されている統合コンテンツ情報と、接続装置管理部２１によって確認された記録装置Ａ、Ｂの電源投入状況と装着されているストレージ媒体５の媒体ＩＤとに基づいて、図６に示すような一括リストをＬＣＤ１９に表示させる（ステップＡ６）。一括リストは、図６を参照すると、統合コンテンツ情報記録部２２に記録されている統合コンテンツ情報に記述されているコンテンツ名の一覧表示である。また、一括リストにおいて、コンテンツ名は、記録再生された記録装置毎に色分けや、異なるフォントで表示され、記録再生された記録装置Ａ、Ｂの区別を識別できるようになっていると共に、所定の項目に基づいてソートされて表示される。さらに、一括リストにおいて、電源がＯＦＦ状態の記録装置Ａ、Ｂで記録再生されたコンテンツ名と、記録装置Ａ、Ｂ装着されていないストレージ媒体５に記録されているコンテンツ名とは、グレーダウン表示や白抜き表示等で他のコンテンツ名と区別されて表示される。
【００３１】
リスト表示の表示モードが装置部リスト表示である場合には、マイコン２５は、ＯＳＤ用キャラクタジェネレータ２３に装置別リストの表示を指示し、ＯＳＤ用キャラクタジェネレータ２３は、統合コンテンツ情報記録部２２に記録されている統合コンテンツ情報と、接続装置管理部２１によって確認された記録装置Ａ、Ｂの電源投入状況と装着されているストレージ媒体５の媒体ＩＤとに基づいて、図７に示すような装置別リストをＬＣＤ１９に表示させる（ステップＡ７）。装置別リストは、図７を参照すると、統合コンテンツ情報記録部２２に記録されている統合コンテンツ情報に記述されているコンテンツ名の記録装置毎の一覧表示であり、タブの区別項目によって記録装置Ａ、Ｂを切り換えて表示させることができるようになっている。また、一括リストにおいて、コンテンツ名は、所定の項目に基づいてソートされて表示されると共に、電源がＯＦＦ状態の記録装置Ａ、Ｂで記録再生されたコンテンツ名と、記録装置Ａ、Ｂ装着されていないストレージ媒体５に記録されているコンテンツ名とは、グレーダウン表示や白抜き表示等で他のコンテンツ名と区別されて表示される。
【００３２】
リスト表示の表示モードがジャンル部リスト表示である場合には、マイコン２５は、ＯＳＤ用キャラクタジェネレータ２３にジャンル別リストの表示を指示し、ＯＳＤ用キャラクタジェネレータ２３は、統合コンテンツ情報記録部２２に記録されている統合コンテンツ情報と、接続装置管理部２１によって確認された記録装置Ａ、Ｂの電源投入状況と装着されているストレージ媒体５の媒体ＩＤとに基づいて、図８に示すようなジャンル別リストをＬＣＤ１９に表示させる（ステップＡ８）。ジャンル別リストは、図８（ａ）を参照すると、統合コンテンツ情報記録部２２に記録されている統合コンテンツ情報に記述されているコンテンツ名の大ジャンル毎の一覧表示であり、タブの区別項目によってジャンルを切り換えて表示させることができるようになっている。また、一括リストにおいて、コンテンツ名は、記録再生された記録装置毎に色分けや、異なるフォントで表示され、記録再生された記録装置Ａ、Ｂの区別を識別できるようになっていると共に、所定の項目に基づいてソートされて表示される。また、電源がＯＦＦ状態の記録装置Ａ、Ｂで記録再生されたコンテンツ名と、記録装置Ａ、Ｂ装着されていないストレージ媒体５に記録されているコンテンツ名とは、グレーダウン表示や白抜き表示等で他のコンテンツ名と区別されて表示される。さらに、大ジャンルをさらに区分けした小ジャンルが存在する場合には、図８（ｂ）に示すように、小ジャンルの項目を一覧表示し、選択された小ジャンルのコンテンツ名を一覧表示させるようにしても良い。
【００３３】
なお、一括リスト、装置別リストおよびジャンル別リストにおける配色、ソート項目、表示フォント等は、ユーザが好みの表示形態にカスタマイズできように構成すると、ユーザの使い勝手を向上させることができ、好適である。また、本実施の形態では、表示モードとして一括リスト表示、装置別リスト表示およびジャンル別リスト表示の３種類が設定されている例を説明したが、コンテンツ情報として他の項目が設けられている場合には、他の項目別の表示モードを採用するようにしても良く、ユーザがコンテンツ情報の新たな項目を追加し、追加した項目の表示モードを設定できるようにしても良い。
【００３４】
次に、マイコン２５は、表示モードの変更指示の入力、すなわちユーザによってリモコン装置３が操作され、受信部２４による表示モードの変更を指示するコマンドの受信を監視すると共に（ステップＡ９）、リスト表示の終了指示もしくはリストに基づくコンテンツの再生指示の入力、すなわちユーザによってリモコン装置３が操作され、受信部２４による表示モードの終了を指示するコマンドもしくはコンテンツの再生を指示するコマンドの受信を監視し（ステップＡ１０）、ステップＡ９で表示モードの変更指示が入力されると、ステップＡ４に戻って変更された表示モードでリストを表示させ、ステップＡ１０で表示モードの終了指示が入力されると、リスト表示を終了させる。
【００３５】
次に、本実施の形態における再生指示動作について図９を参照して詳細に説明する。
図９は、図１に示すテレビジョン装置における再生指示動作を説明するためのフローチャートである。
【００３６】
一括リスト、装置別リストもしくはジャンル別リストに記述されたコンテンツ名のいずれかを図示しないカーソルによって選択された状態で、ユーザによってリモコン装置３が操作され、受信部２４によって再生を指示するコマンドが受信されると（ステップＢ１）、マイコン２５は、再生を指示されたコンテンツが記録再生された記録装置（以下、対象装置と称する）が電源オン状態か否かを判断すると共に（ステップＢ２）、再生を指示されたコンテンツが記録されたストレージ媒体５（以下、対象媒体と称する)が対象装置に装着されているか否かを判断し（ステップＢ３）、対象装置の電源がＯＮ状態で、対象媒体が対象装置に装着されている場合に、再生を指示されたコンテンツの再生を対象装置に指示して再生を開始させる（ステップＢ４）。
【００３７】
ステップＢ２で対象装置の電源が投入されておらず、電源ＯＦＦ状態である場合には、マイコン２５は、ＯＳＤ用キャラクタジェネレータ２３を用いて、対象装置の電源投入を促す電源投入メッセージをＬＣＤ１９に表示させ（ステップＢ５）、対象装置の電源投入を監視し（ステップＢ６）、対象装置の電源が投入されるとステップＢ３に至る。
【００３８】
ステップＢ３で対象媒体が対象装置に装着されていない場合には、マイコン２５は、ＯＳＤ用キャラクタジェネレータ２３を用いて、対象装置に対象媒体の装着を促す媒体交換メッセージをＬＣＤ１９に表示させ（ステップＢ７）、対象媒体の対象装置への装着を監視し（ステップＢ８）、対象媒体が対象装置に装着されるとステップＢ４に至る。
【００３９】
なお、本実施の形態では、記録装置Ａ、Ｂ側からコンテンツ情報をテレビジョン装置１に送信するように構成したが、テレビジョン装置１側から電源投入時や定期的にリクエストを送信することによって、記録装置Ａ、Ｂ側からテレビジョン装置１にコンテンツ情報が送信されるようにしても良い。
【００４０】
また、記録装置Ａ、Ｂにおいて、他の装置でコンテンツが記録されたストレージ媒体５が装着された場合には、記録装置Ａ、Ｂにストレージ媒体５が装着された時点で媒体ＩＤおよびコンテンツの属性情報を読み取ることで、読み取った媒体ＩＤおよびコンテンツの属性情報がコンテンツ情報として新たに追加されるようにすると良い。さらに、市販のＤＶＤソフト等のストレージ媒体５が記録装置Ａ、Ｂに装着された場合には、コンテンツ情報として追加するか否かを設定できるように構成すると、コンテンツ毎のコンテンツ情報を保有するために必要なメモリー容量の節約を選択でき、コンテンツ情報として登録できるコンテンツ数の上限を増加させることができる。
【００４１】
また、本実施の形態では、テレビジョン装置１に統合コンテンツ情報記録部２２を設け、記録装置Ａのコンテンツ情報と、記録装置Ｂのコンテンツ情報とを統合させた統合コンテンツ情報を記録しておくようにしたが、テレビジョン装置１に統合コンテンツ情報を記録しておくことなく、ユーザによってリモコン装置３が操作され、受信部２４によってリスト表示を指示するコマンドが受信された際に、記録装置Ａのコンテンツ情報と、記録装置Ｂのコンテンツ情報と取得してリスト表示させるように構成しても良い。
【００４２】
さらに、本実施の形態では、ストレージ媒体５を着脱可能な記録装置Ａ、Ｂについて説明したが、記録装置Ａ、Ｂとして、ＨＤＤ等のストレージ媒体５が固定的に設けられたタイプのものを用いるようにしても良く、さらに、複数の異なるストレージ媒体５に対応可能なタイプのものを用いるようにしても良い。
【００４３】
以上説明したように、本実施の形態によれば、記録装置Ａ、Ｂにおいて、ストレージ媒体５に記録もしくは再生したコンテンツの属性情報をコンテンツ情報としてコンテンツ情報記録部４６に記録して、通信制御部４７によってコンテンツ情報記録部４６に記録したコンテンツ情報をテレビジョン装置１に送信するように構成すると共に、テレビジョン装置１において、接続装置管理部２１は、複数の記録装置Ａ、Ｂからそれぞれ送信されるコンテンツ情報を、コンテンツ情報を送信した記録装置Ａ、Ｂを特定する情報と共に統合させた統合コンテンツ情報を作成し、ＯＳＤ用キャラクタジェネレータ２３は、接続装置管理部２１によって作成された統合コンテンツ情報に基づいて、複数の記録装置Ａ、Ｂによって記録もしくは再生されたコンテンツの一覧を表示するように構成することにより、接続されている複数の記録装置Ａ、Ｂによってそれぞれ記録もしくは再生されたコンテンツを１つのリストとして一覧表示することができるため、テレビジョン装置１に接続された複数の記録装置Ａ、Ｂのいずれに所望のコンテンツが記録されているか意識することなく、複数の記録装置Ａ、Ｂにそれぞれ記録されているコンテンツの中から所望のコンテンツを簡単に検索することができるという効果を奏する。
【００４４】
さらに、本実施の形態によれば、テレビジョン装置１において、接続装置管理部２１によって作成された統合コンテンツ情報を統合コンテンツ情報記録部２２に記録しておき、統合コンテンツ情報記録部２２に記録されている統合コンテンツ情報に基づいて、複数の記録装置Ａ、Ｂによって記録もしくは再生されたコンテンツの一覧を表示するように構成することにより、一覧表示が指示されると、素早く一覧表示を行うことができると共に、記録装置Ａ、Ｂが電源ＯＦＦ状態であっても一覧表示を行うことができるという効果を奏する。
【００４５】
さらに、本実施の形態によれば、テレビジョン装置１において、接続装置管理部２１は、記録装置Ａ、Ｂの電源投入状況を確認し、ＯＳＤ用キャラクタジェネレータ２３は、コンテンツの一覧の表示に際し、電源ＯＦＦ状態と判断した記録装置Ａ、Ｂによって記録もしくは再生されたコンテンツを他のコンテンツと区別して表示するように構成することにより、ユーザが、記録装置Ａ、Ｂの電源を投入しなければ再生できないコンテンツを簡単に把握することができ、操作性を向上させることができるという効果を奏する。
【００４６】
さらに、本実施の形態によれば、記録装置Ａ、Ｂにおいて、コンテンツが記録されているストレージ媒体５の媒体ＩＤを含むコンテンツ情報を記録するように構成すると共に、テレビジョン装置１において、接続装置管理部２１は、記録装置Ａ、Ｂに装着されているストレージ媒体５を確認し、ＯＳＤ用キャラクタジェネレータ２３は、コンテンツの一覧の表示に際し、記録装置Ａ、Ｂに装着されていないストレージ媒体に記録されているコンテンツを他のコンテンツと区別して表示するように構成することにより、ユーザが、ストレージ媒体を交換しなければ再生できないコンテンツを簡単に把握することができ、操作性を向上させることができるという効果を奏する。
【００４７】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００４８】
【図１】本発明に係る情報表示装置の実施の形態であるテレビジョン装置の構成を示すブロック図である。
【図２】図１に示すテレビジョン装置に接続された記録装置の構成を示すブロック図である。
【図３】図２に示す記録装置のコンテンツ情報記録部に記録されたコンテンツ情報例を示す図である。
【図４】図１に示すテレビジョン装置の統合コンテンツ情報記録部に記録された統合コンテンツ情報例を示す図である。
【図５】図１に示すテレビジョン装置におけるリスト表示動作を説明するためのフローチャートである。
【図６】図１に示すＬＣＤに表示される一括リスト例を示す図である。
【図７】図１に示すＬＣＤに表示される装置別リスト例を示す図である。
【図８】図１に示すＬＣＤに表示されるジャンル別リスト例を示す図である。
【図９】図１に示すテレビジョン装置における再生指示動作を説明するためのフローチャートである。
【符号の説明】
【００４９】
１  テレビジョン装置
３  リモコン装置
５  ストレージ媒体
１１  アンテナ
１２  チューナ
１３  中間周波処理部
１４  ＡＶセレクタ
１５  スピーカ
１６  音声アンプ
１７  Ｙ／Ｃ分離部
１８  クロマデコーダ
１９  ＬＣＤ
２０  ＲＧＢプロセッサ
２１  接続装置管理部
２２  統合コンテンツ情報記録部
２３  ＯＳＤ用キャラクタジェネレータ
２４  受信部
２５  マイコン
３１  操作ボタン
４１  アンテナ
４２  チューナ
４３  中間周波処理部
４４  操作部
４５  記録再生制御部
４６  コンテンツ情報記録部
４７  通信制御部
Ａ、Ｂ  記録装置
【図１】
2008167275.tif 000003
【図２】
2008167275.tif 000004
【図３】
2008167275.tif 000005
【図４】
2008167275.tif 000006
【図５】
2008167275.tif 000007
【図６】
2008167275.tif 000008
【図７】
2008167275.tif 000009
【図８】
2008167275.tif 000010
【図９】
2008167275.tif 000011